(57)【要約】本発明は、部分的にＩＰベースとなった無線通信ネットワークにおいてユーザ機器のアクティビティを追跡し、その性能を監視する方法、及びネットワーク制御ノードに関する。その無線通信ネットワークは、１つ以上の、運用者が制御可能なインタネットプロトコル（ＩＰ）ネットワークと運用者が制御不可能なインタネットプロトコル（ＩＰ）ネットワークとの内の少なくともいずれかのＩＰネットワークを介して、ネットワーク制御ノードと通信する、運用者が制御可能なアクセスポイントと運用者が制御不可能なアクセスポイントとの内、少なくとのいずれかを有している。この説明する方法は、第１のネットワークノードから、ネットワーク制御ノードにおいて、トレーストリガ要求とユーザ機器の識別を受信する工程により特徴づけられる。或いは、このトレーストリガ要求は、そのユーザ機器を明示的に識別するシグナリング接続で受信される。それから、そのネットワーク制御ノードは、その識別されたユーザ機器に関係しているトレースの記録と情報取出手順とを開始し、全ての利用されているＩＰネットワークとユーザ機器にサービスを行っているアクセスポイントとを識別する。この方法はさらに、そのネットワーク制御ノードとユーザ機器との間で用いられているＩＰネットワークを分析することと、そのユーザ機器にサービスを行うアクセスポイントを分析することとの内、少なくともいずれかの分析を行う。その後、分析結果と取り出された情報とを含むトレースのプリント出力が創成され、そのプリント出力は第２のネットワークノードに送信されるか、或いは、後での取り出しのためにローカルに格納される。
2010532937.tif 000002
【特許請求の範囲】
【請求項１】
１つ以上の、運用者が制御可能なインタネットプロトコル（ＩＰ）ネットワーク（３００）と運用者が制御不可能なインタネットプロトコル（ＩＰ）ネットワーク（３００）との内の少なくともいずれかのＩＰネットワークを介して、ネットワーク制御ノード（３，６００）と通信する、運用者が制御可能なアクセスポイント（４）と運用者が制御不可能なアクセスポイント（６，２００）とを有している無線通信ネットワーク（１）におけるユーザ機器のアクティビティを制御する方法であって、前記方法は、
前記ネットワーク制御ノード（３，６００）において、第１のネットワークノード（２、１２、１４、或いは１５）から、トレーストリガ要求とユーザ機器（９，９００）の識別を受信する工程（Ｓ２，Ｓ１）と、
前記ネットワーク制御ノード（３，６００）において、前記識別されたユーザ機器（９，９００）に関係しているトレース記録と情報取出手順とを開始する工程（Ｓ３）と、
前記ネットワーク制御ノード（３，６００）において、全ての利用されているＩＰネットワークと前記ユーザ機器（９，９００）にサービスを行っているアクセスポイント（６，２００）とを識別する工程（Ｓ４）と、
前記ネットワーク制御ノード（３，６００）と前記ユーザ機器（９，９００）との間で用いられている前記ＩＰネットワーク（３００）を分析することと、前記ユーザ機器にサービスを行うアクセスポイント（６，２００）を分析することとの内、少なくともいずれかを行う工程（Ｓ５）と、
第２のネットワークノード（２，１２，１４，或いは１５）に送信される取り出された情報とともに分析結果をトレースのプリント出力に含める工程（Ｓ６）とを有することを特徴とする方法。
【請求項２】
前記制御可能なアクセスポイントは、
マクロ無線基地局（マクロＲＢＳ）と、マイクロ無線基地局（マイクロＲＢＳ）と、ピコ無線基地局（ピコＲＢＳ）との内のいずれかであり、
前記制御不可能なアクセスポイントは、フェムト無線基地局（フェムトＲＢＳ）であることを特徴とする請求項１に記載の方法。
【請求項３】
前記トレース要求は、
トラブルシューティングと、より最適化された障害絞込み手順と、ユーザ機器絞込みとの内の１つ以上の理由により、エンドユーザ、或いは、ネットワークノードによりトリガされることを特徴とする請求項１又は２に記載の方法。
【請求項４】
前記トレース記録と情報取出手順とは、ユーザ機器にサービスを行うアクセスポイントのＩＰアドレスを識別し、前記ＩＰアドレスを予め格納されたロケーションにマッピングする工程が関与することを特徴とする請求項１乃至３のいずれか１項に記載の方法。
【請求項５】
前記ネットワーク制御ノードにより実行される前記トレース記録と情報取出手順とは、用いられるＩＰネットワークとフェムトＲＢＳとの内の少なくともいずれかに関係しているホーム３Ｇアクセスポイント・データベース（Ｈ３ＧＡＰ）から格納された情報を取り出すことが関与することを特徴とする請求項２乃至４のいずれか１項に記載の方法。
【請求項６】
前記第１のネットワークノードと前記第２のネットワークノードとは、同じノードか、或いは、
・運用維持管理センタ
・移動体交換センタ
・ホームロケーションレジスタ
・在圏ロケーションレジスタ
・ＲＢＳ
・セキュリティゲートウェイ（ＳＥＧＷ）
・サービングＧＰＲＳサポートノード（ＳＧＳＮ）
のノードの内のいずれかの組み合わせであることを特徴とする請求項１乃至５のいずれか１項に記載の方法。
【請求項７】
前記分析する工程は、
・トレースルート機能を起動し監視することと、
・前記ＩＰネットワークにおける遅延を測定することと、
・１つ以上のインターネット制御メッセージプロトコル（ＩＣＭＰ）のエコー要求或いはピンを送信し監視することと、
・エラーレポートメッセージに基づいてユーザデータグラムプロトコル（ＵＤＰ）を送信することと、
・アクセスポイントステータスチェックを実行することと、
・ＩＰアドレス、損失確率、損失率、遅延、及び遅延の変化の内の１つ以上に関係する統計情報などを取り出すことと、
・識別されたアクセスポイントに関係しているイベントログ情報を要求することと、
・セキュリティゲートウェイ或いは機能エンティティに要求して、前記セキュリティゲートウェイと前記アクセスポイントとの間の１つ以上のＩＰネットワークを分析することとの内、１つ以上を含むことを特徴とする請求項１乃至６のいずれか１項に記載の方法。
【請求項８】
前記ユーザ機器の識別は、前記トレース要求に含まれているか、或いは、シグナリング接続における要求として別に送信されることを特徴とする請求項１乃至７のいずれか１項に記載の方法。
【請求項９】
１つ以上の、運用者が制御可能なインタネットプロトコル（ＩＰ）ネットワーク（３００）と運用者が制御不可能なインタネットプロトコル（ＩＰ）ネットワーク（３００）との内の少なくともいずれかのＩＰネットワークを介して、運用者が制御可能なアクセスポイント（４）と運用者が制御不可能なアクセスポイント（６，２００）と通信し、無線通信ネットワーク（１）におけるユーザ機器のアクティビティを制御するネットワーク制御ノード（３，６００）であって、前記ネットワーク制御ノード（３，６００）は、トレーストリガ要求とユーザ機器（９，９００）の識別を受信するために用いられる送受信機（６０１）を有しており、
前記ネットワーク制御ノード（３，６００）は、
少なくともＩＰネットワーク（３００）と前記識別されたユーザ機器（９，９００）にサービスを行うアクセスポイント（６，２００）とを識別するために用いるトレース記録及び情報取出を行う機器（６０２）と、
前記ユーザ機器（９，９００）により用いられている少なくとも１つのＩＰネットワーク（３００）を分析することと、前記ユーザ機器にサービスを行うアクセスポイント（６，２００）を分析することとの内、少なくともいずれかを行い、トリガされた要求に応じて、送信される取り出された他の情報とともに分析結果をトレースのプリント出力に含めるために用いる分析機器（６０３）とを有することを特徴とするネットワーク制御ノード（３，６００）。
【請求項１０】
マクロ無線基地局（マクロＲＢＳ）と、マイクロ無線基地局（マイクロＲＢＳ）と、ピコ無線基地局（ピコＲＢＳ）との内のいずれかの前記制御可能なアクセスポイントと、フェムト無線基地局（フェムトＲＢＳ）とを接続することを特徴とする請求項９に記載のネットワーク制御ノード（３，６００）。
【請求項１１】
前記ユーザ機器の識別は、前記トレース要求に含まれているか、或いは、シグナリング接続における要求として別に送信されることを特徴とする請求項９又は１０に記載のネットワーク制御ノード（３，６００）。
【請求項１２】
前記トレース記録及び情報取出の手順は、ユーザ機器にサービスを行うアクセスポイントのＩＰアドレスを識別し、前記ＩＰアドレスを予め格納されたロケーションにマッピングする工程が関与することを特徴とする請求項９乃至１１のいずれか１項に記載のネットワーク制御ノード（３，６００）。
【請求項１３】
前記トレース記録及び情報取出の手順は、用いられるＩＰネットワーク（３００）とフェムトＲＢＳ（６，２００）との内の少なくともいずれかに関係しているホーム３Ｇアクセスポイント・データベース（Ｈ３ＧＡＰ）から格納された情報を取り出すことが関与することを特徴とする請求項１０乃至１２のいずれか１項に記載のネットワーク制御ノード（３，６００）。
【請求項１４】
前記分析機器（６０３）は、
・トレースルート機能を起動し監視することと、
・前記ＩＰネットワークにおける遅延を測定することと、
・１つ以上のインターネット制御メッセージプロトコル（ＩＣＭＰ）のエコー要求或いはピンを送信し監視することと、
・エラーレポートメッセージに基づいてユーザデータグラムプロトコル（ＵＤＰ）を送信することと、
・アクセスポイントステータスチェックを実行することと、
・ＩＰアドレス、損失確率、損失率、遅延、及び遅延の変化の内の１つ以上に関係する統計情報などを取り出すことと、
・識別されたアクセスポイントに関係しているイベントログ情報を要求することと、
・セキュリティゲートウェイ或いは機能エンティティに要求して、前記セキュリティゲートウェイと前記アクセスポイントとの間の１つ以上のＩＰネットワークを分析することとのアクティビティの内、１つ以上の実行を担当することを特徴とする請求項９乃至１３のいずれか１項にネットワーク制御ノード（３，６００）。
【発明の詳細な説明】
【技術分野】
【０００１】
本発明は、部分的にＩＰベースとなった無線通信ネットワークにおいてユーザ機器のアクティビティをトレースし、その性能を監視する方法、及びネットワーク制御ノードに関する。
【背景技術】
【０００２】
移動局（ＭＳ）とさえ呼ばれる、ユーザ機器（ＵＥ）のトレース（追跡）は知られた手順であり、例えば、コアネットワーク（ＣＮ）から開始される公衆陸上移動体ネットワーク（ＰＬＭＮ）において、ホームロケーションレジスタ（ＨＬＲ）から、或いは、移動体交換センタ（ＭＳＣ）或いは在圏ロケーションレジスタ（ＶＬＲ）において直接に、或いはＭＳＣとＶＬＲの結合体において開始される。その開始は、アクティブなＵＥに対してネットワークノードにおいて“トレース発動（trace invocation）”メッセージをトリガすることにより実行される。別の可能性は、ある時点においてアイドルのＵＥに対してＵＥのデータベースに特別なフラグ或いは表示をセットすることである。このフラグや表示は、ＵＥがアクティブな状態に入った次の時点において読み出され、その結果、ネットワークノードにおける“トレース発動”メッセージをトリガするものとなろう。例えば、無線アクセスネットワーク応用部（ＲＡＮＡＰ）プロトコルは、ＭＳＣかサービングＧＰＲＳサポートノード（ＳＧＳＮ）でもあり得るコアネットワーク（ＣＮ）と無線ネットワーク制御装置（ＲＮＣ）との間で“トレース発動”メッセージを転送するのに用いられる。ＲＡＮＡＰシグナリングプロトコルは全地球規模の移動体通信システム（ＵＭＴＳ）プロトコルスタックにおけるｌｕインタフェースの無線ネットワークレイヤの制御プレーンに常駐する。ｌｕインタフェースはＲＮＣとＣＮとの間のインタフェースであり、それは非特許文献１とその文献の技術仕様から参照される３ＧＰＰの技術仕様において規定されている。
【０００３】
“トレース発動”メッセージを受信する無線ネットワーク制御装置（ＲＮＣ）は、応答として、示唆されたＵＥに関係する全ての利用可能な情報についてローカルにプリント出力を実行する。関係する情報はまた、トレース発動要求において、そのように示唆されているなら、トリガ運用維持管理センタ（ＯＭＣ）に送信される。この情報は、例えば、国際移動体加入者識別子（ＩＭＳＩ）、“トレース参照番号／識別”から成り立っており、そのプリント出力が正しいトレース順序、現在使用中のセル、ハンドオーバがあった場合のターゲットセル、種々のイベント、及び、割当やハンドオーバなどのようなメッセージに関連付けられるようにしている。トレースはＵＥについての情報を収集し、その情報をデータの更なる分析のために収集エンティティにレポートするために用いられる。呼のトレースは、ＲＮＣ、ノードＢ、或いは、無線基地局（ＲＢＳ）において開始されるかもしれない。トレースについては、数多くの３ＧＰＰ技術仕様、例えば、非特許文献２や非特許文献３に記述されている。
【０００４】
この出願の時点で、家庭や小領域に小型の無線基地局（ＲＢＳ）を用いて限定された数のユーザのための３Ｇカバレッジを提供する可能性のある方法を見出すために研究が続いている。この種の小領域の無線基地局は、ホーム３Ｇアクセスポイント（Ｈ３ＧＡＰｓ）、ホームアクセスポイント（ＨＡＰｓ）、或いは、フェムトＲＢＳと呼ばれている。フェムトＲＢＳという用語が、この出願では用いられ、これは個人の家や小さいオフィスの区画を主にターゲットにしており、１つの利点には、何らかの現存する３Ｇ電話がそのような環境では動作するので、代替的なアクセス技術のための出費やハンドセットでのＷＬＡＮ／ＵＭＡ／ＧＡＮを必要としないという点がある。用いられる与えられた３Ｇ標準の例は広帯域符号分割多元接続（ＷＣＤＭＡ）、ＣＤＭＡ２０００、及び時分割同期符号分割多元接続（ＴＤ−ＳＣＤＭＡ）である。
【０００５】
フェムトＲＢＳの概念はＷＣＤＭＡを用いるシナリオに対してはたいてい関係のあるものである。しかし、それは他の場合や技術にも適用可能である。例えば、類似の解決策が、例えば、ＧＳＭのような２Ｇ技術に対しても開発されるかもしれないし、ＬＴＥ（長期的発展型）、ＣＤＭＡ２０００、或いは、ＴＤ−ＳＣＤＭＡに対しても開発されるかもしれない。
【０００６】
フェムトＲＢＳはエンドユーザに対して通常のＷＣＤＭＡカバレッジを提供し、ある種のＩＰベースの伝送を用いて無線ネットワーク制御装置（ＲＮＣ）に接続される。提供されるカバレッジ領域はフェムトセルと呼ばれ、そのカバレッジ領域がマクロセルの領域と比較して相対的に小さいものであることを示す。ＩＰベースの伝送に対する１つの代替案は固定ブロードバンドアクセス（例えば、ｘＤＳＬやケーブルなど）を用いてフェムトＲＢＳをＲＮＣに接続することである。さらに別の代替案は、例えば、ＨＳＤＰＡと強化型アップリンク或いは何らかのＷｉＭＡＸ技術のような移動体ブロードバンドアクセスを用いることであろう。
【０００７】
図１はホーム３Ｇアクセスポイントとして動作するフェムトＲＢＳを含むＷＣＤＭＡネットワークを図示したブロック図である。無線通信ネットワーク１は、標準的なｌｕインタフェースを用いて、無線ネットワーク制御装置（ＲＮＣ）３に接続されるコアネットワーク（ＣＮ）２を含む。或いは、そのＲＮＣは、マクロＲＮＣ１１とフェムトＲＮＣ１０との内、少なくともいずれかである。ＲＮＣは、そのＲＮＣに接続される全ての無線基地局、例えば、マクロＲＢＳ、フェムト無線基地局などを制御する。マイクロＲＢＳやピコＲＢＳなどのような他の種類のＲＢＳも、ＲＮＣ（不図示）により制御される。この図では、ＲＮＣ３はマクロＲＢＳ４と１つ以上のフェムトＲＢＳ６とに接続されている。フェムトＲＢＳとＲＮＣとの間のインタフェースはｌｕｂインタフェースであり、そのインタフェースはフェムトＲＢＳ'に必要な付加情報を搬送するために拡張されており、図１ではｌｕｂ＋インタフェースと呼ばれ、フェムトＲＢＳとＲＮＣとの間のＩＰコネクティビティを提供するＩＰネットワークを用いてトランスポートされる。いくつかのシナリオでが、そのインタフェースは標準的なｌｕｂインタフェースでも良い。このＩＰネットワークは機密保護されていない制御不可能なＩＰネットワークから成り立っていても良いので、ＲＮＣとフェムトＲＢＳとの間の機密保護機構が通常は含まれている。ＲＮＣ３とマクロＲＢＳ４との間の通信は、ＩＰベースか、或いはＩＰ／ＡＴＭベースであり、そのインタフェースはｌｕｂである。マクロＲＢＳ４は、マクロセル７の内で、１つ以上の無線ユーザ機器（ＵＥ）９に対するアクセスポイントとして動作する。フェムトＲＢＳ５のグループ（Ｈ３ＧＡＰｓ）は、フェムトセル８内の複数のＵＥのためのアクセスポイントとして動作する。ＲＮＣ３はマクロＲＢＳ４を介して、フェムトＲＢＳ６とも通信できる。このようにして、フェムトＲＢＳはマクロＲＢＳを無線ユーザ機器のコアネットワークへのアクセスポイントとして用いる。ＣＮ２も、この図では、破線が示すように、２つのＲＮＣ、即ち、マクロＲＮＣ１０とフェムトＲＮＣ１１に接続されても良い。これらのＲＮＣ１０、１１は、同じ、或いは、分離した物理的なＲＮＣノードで実現される。マクロＲＮＣ１０は複数のマクロ無線基地局（マクロＲＢＳ）を制御し、破線で示されているようにフェムトＲＮＣは複数のフェムト無線基地局（Ｈ３ＧＡＰｓ）を制御する。マクロＲＮＣとフェムトＲＮＣとは、もし必要なら、アクセスポイントに関して情報を交換する。ＯＳＳ１２は通常、アクセスポイントである複数のマクロＲＢＳの管理を実行する。Ｈ３ＧＡＰマネージャ１３は、Ｈ３ＧＡＰｓの管理を担当する。Ｈ３ＧＡＰデータベース（Ｈ３ＤＡＰ  ＤＢ）１４は、フェムトＲＢＳに関係した情報を格納するのに用いられる。セキュリティゲートウェイ１５はＲＮＣ３とフェムトＲＢＳグループ５との間を接続する。ＯＳＳ、Ｈ３ＧＡＰマネージャ、及びＨ３ＧＡＰ  ＤＢは単独のノードであっても良いし、或いは、ＲＮＣ３或いはＣＮ２のような他のノードの一部であっても良い。ＯＳＳとＨ３ＧＡＰマネージャはネットワーク１における分散されたプログラムであっても良い。フェムトＲＢＳの実施���の例は特許文献１により開示されている。
【先行技術文献】
【特許文献】
【０００８】
【特許文献１】国際公開第２００７／０４０４５４号パンフレット
【非特許文献】
【０００９】
【非特許文献１】３ＧＰＰ  技術仕様（ＴＳ）２５．４１０
【非特許文献２】３ＧＰＰ  ＴＳ３２．４２１  Ｖ７．２．０（2006年9月）
【非特許文献３】３ＧＰＰ  ＴＳ３２．４３２  Ｖ７．０．０（2005年9月）
【発明の概要】
【発明が解決しようとする課題】
【００１０】
フェムトＲＢＳは、プラグ＆プレイ方式でエンドユーザによりインストールされ管理される。この方式により、そのようなシステムに対して特別な必要を作り出し、運用者には制限された情報とフェムトＲＢＳには制限されたアクセスしか与えなくなる。これらプラグ＆プレイのフェムトセルと制御される、或いは、制御されないＩＰネットワークとを含むネットワークでトレース手順を実行することは、公開された３ＧＰＰ技術仕様のいずれにおいても規定されていない。フェムトを解決策のベースとした情報は規定されていないし、また、この情報をどのように取り出すのかについてはいかなる既存のシステムや文書でも定義されていない。
【課題を解決するための手段】
【００１１】
本発明の目的は、マクロＲＢＳとフェムトＲＢＳの両方を有するネットワークにおける無線ユーザ機器のアクティビティのトレースを実行する手順を導入することにある。ここで、複数のフェムトＲＢＳは１つ以上の運用者が制御不可能なＩＰネットワークを介してネットワーク制御ノードと接続する。
【００１２】
本発明の実施例による他の目的は、フェムトセルに位置するユーザ機器に関係しているＩＰ関連情報を取得し、要求があれば取り出した情報をプリント出力するための方法と手順とを規定することにある。
【００１３】
本発明の実施例では、無線通信ネットワークにおけるユーザ機器のアクティビティを制御する方法について説明する。その無線通信ネットワークは、運用者が制御可能なアクセスポイントと、運用者が制御不可能なアクセスポイントとの内、少なくとのいずれかを有している。これらのアクセスポイントは、１つ以上の、運用者が制御可能なインタネットプロトコル（ＩＰ）ネットワークと運用者が制御不可能なインタネットプロトコル（ＩＰ）ネットワークとの内の少なくともいずれかを介してネットワーク制御ノードと通信状態にある。この説明する方法は、第１のネットワークノードから、ネットワーク制御ノードにおいて、トレーストリガ要求とユーザ機器の識別を受信する工程により特徴づけられる。或いは、このトレーストリガ要求は、そのユーザ機器を明示的に識別するシグナリング接続で受信される。それから、そのネットワーク制御ノードは、前記識別されたユーザ機器に関係しているトレースの記録と情報取出手順とを開始し、全ての利用されているＩＰネットワークとユーザ機器にサービスを行っているアクセスポイントとを識別する。この方法はさらに、そのネットワーク制御ノードとユーザ機器との間で用いられているＩＰネットワークを分析することと、そのユーザ機器にサービスを行うアクセスポイントを分析することとの内、少なくともいずれかの分析を行う。続いて、分析結果と取り出された情報とを含むトレースのプリント出力が創成され、そのプリント出力は第２のネットワークノードに送信されるか、或いは、後での取り出しのためにローカルに格納される。
【００１４】
本発明の別の実施例では、無線通信ネットワークにおけるユーザ機器のアクティビティを制御するために用いられるネットワーク制御ノードが備えられる。そのネットワーク制御ノードは、運用者が制御可能なアクセスポイントと運用者が制御不可能なアクセスポイントとを接続する。この接続は、１つ以上の、運用者が制御可能なインタネットプロトコル（ＩＰ）ネットワークと運用者が制御不可能なインタネットプロトコル（ＩＰ）ネットワークとを介してなされる。このネットワーク制御ノードは、トレーストリガ要求とユーザ機器の識別を受信するために用いられるメッセージ送受信ユニットを有している。そのネットワーク制御ノードはまた、少なくともＩＰネットワークと前記識別されたユーザ機器にサービスを行うアクセスポイントとを識別するために用いられるトレース記録及び情報取出機器を有している。このネットワーク制御ノードでは、分析機器が前記ユーザ機器により用いられている少なくとも１つのＩＰネットワークを分析することと、前記ユーザ機器にサービスを行うアクセスポイントを分析することとの内、少なくともいずれかの分析を行なうために用いられる。前記トリガされた要求に対する応答として、その分析結果と取り出された他の情報は、送信されるとともに、トレースのプリント出力において送信される。
【図面の簡単な説明】
【００１５】
【図１】フェムトセルに位置するユーザ機器のためのアクセスポイントとして用いられる複数のフェムトＲＢＳを含む無線通信ネットワークを図示したブロック図である。
【図２】本発明の実施例を図示した信号図である。
【図３】トリガイベントの発生時、分析を実行し関係情報を取り出す無線ネットワーク制御装置を有する本発明の実施例を例示した図である。
【発明を実施するための形態】
【００１６】
当業者であれば理解できることであるが、本発明に対して種々の変更や変形が、添付の請求の範囲により定義される範囲から逸脱することなくなされても良い。
【００１７】
トレース手順は、故障したユーザ機器の根本原因、進んだトラブルシューティング、リソース利用と品質の最適化、ＲＦカバレッジ制御及び容量改善、欠落した呼の分析、コアネットワークとＵＴＲＡＮのエンド−ツウ−エンドの３Ｇ手順確認の決定のようなアクティビティにおいて主要な役割を果たす。
【００１８】
特定のユーザ（例えば、ＩＭＳＩ）或いはユーザ機器のタイプ（例えば、ＩＭＥＩ或いはＩＭＥＩＳＶ）についての呼レベルで何らかのインタフェースでデータをログする能力により、例えば、呼途中のエンドユーザＱｏＳの認識（例えば、要求されたＱｏＳ対提供されたＱｏＳ）、プロトコルメッセージ間の相関、ＲＦ測定、或いは、特定のユーザ機器ベンダの相互動作性などのような、通常は性能測定からは推測できない情報を取得することが可能になる。
【００１９】
主要な理由には、
・ＩＰ関連情報は３ＧＰＰ技術仕様では規定されていない点、
・フェムトによる解決策をベースにする情報は規定されてもいなければ、そのような情報をどのように取り出すかについても定義されていない点
がある。
【００２０】
制御不可能なＩＰベースのアクセスネットワークを使用して無線ユーザ機器サービスを提供することは、現存するＰＬＭＮに対して全く新しい概念であり、要求されている改良であるので、トレース発動手順はいまだ規定されていない。それ故に、本発明の目的は、改良されたトレース発動要求に対する解決策を与えることにある。
【００２１】
それ故に、本発明の実施例は、ＲＮＣと識別されたフェムトＲＢＳ（Ｈ３ＧＡＰ或いはＨＡＰとも呼ばれる）との間のＩＰ伝送ネットワークを調べることにより、ＩＰ関連情報を取得するための方法と手順とを規定する。本発明の更なる実施例では、その方法の付加的な工程として、どのブロードバンド運用者が用いられているのか、或いは、どのＩＰアドレスが用いられているのかについての内、少なくともいずれかのことを識別するために調査が実行される。
【００２２】
本発明の実施例のまた更なる側面からすれば、それはＩＰアドレスがロケーション（緯経度）に対して解決でき、そして、ホーム３Ｇアクセスデータベース（Ｈ３ＧＡＰ）に他の情報とともに格納可能であり、そして、トレース手順の起動後の任意の時間に要求があると取り出し可能である方法である。
【００２３】
トレース起動時にＲＮＣ、ＳＥＧＷ、フェムトＲＢＳに格納され、また、取り出される統計情報のいくつかは、ＩＰアドレス、測定パケット損失、測定パケット往復時間、測定パケット遅延の変動などである。ＳＥＧＷ１５は通常、ユーザ機器からのユニバーサル加入者識別モジュール（ＵＳＩＭ）の情報を用いたユーザ認証、ユーザ機器とＳＥＧＷとの間のＩＰｓｅｃトンネリングと暗号化、コアインフラストラクチュアに対するファイアウォールと分散されたサービス妨害攻撃（ＤＤｏＳ）の保護、コアインフラストラクチュアにおけるサービスの窃盗とＤｏＳ攻撃を防止するためのトラフィックバンド幅制限を提供する。
【００２４】
図２は本発明の実施例を例示するシグナリングを示す図である。非限定的な例として、ＷＣＤＭＡネットワークが用いられ、本発明の単純化された実施形について説明する。この非限定的な例に従えば、トリガをかけるノードは、トレース手順を開始させるトリガイベントを検出し、起動する。通常、トリガをかけるノードは次のうちの１つである。即ち、本人に関係する情報を要求する無線機器を用いる人、ユーザ機器に関係する情報を要求する運用者、ユーザ機器のユーザをトレースすることを要求する機関、或いは、時間に基づく起動である。さらに別の可能性は、例えば、突然に切断された全ての呼に対するトラフィックイベント、特定の切断、拒絶、解放の原因をともなうトラフィックイベントなどの内の少なくともいずれかに基づくトリガを実行することである。トリガをかけるノード（Ｔノード）はコアネットワーク（ＣＮ）ノード（例えば、ＭＳＣ、ＯＳＳ、ＨＬＲ、ＶＬＣ、ＳＧＳＮ）にあるユーザ機器に関係しているトレースが要求されたことを通知する（ステップ１）。そのユーザ機器の識別が要求とともに送信されるかもしれないし、或いは、その要求がトレースされるユーザ機器を明示的に識別するシグナリング接続で送信されるかもしれない。ＣＮは、例えば、ＲＡＮＡＰ“ＣＮ  ＴＲＡＣＥ  ＩＮＶＯＫＥ”メッセージのような要求を無線ネットワーク制御装置（ＲＮＣ）に送信することにより、トレース手順を開始する（ステップ２）。トレース発動メッセージがＲＮＣで受信され、ＲＮＣは、識別されたユーザ機器に関して、記録及び情報取り出し手順を開始する（ステップ３）。その手順の一部として、ＲＮＣは用いられるＩＰネットワークとユーザ機器にサービスを行っているアクセスポイントを識別する（ステップ４）。ＩＰ領域に存在するツールがステップ４のために用いられる。例えば、ＲＮＣが、用いられるダウンリンクの全ての中間ノードのリストを取得するために所謂トレースルート機能を開始するようにＳＥＧＷに依頼したり、或いは、ＲＮＣがその機能を開始する。トレースルート機能は、例えば、ＴＴＬ（Time-To-Live：生存時間）を増していくＩＣＭＰエコー要求を送信することとＩＣＭＰエコーの応答を分析して中間ノードを取得することから成り立っているかもしれない。ＲＮＣはまた、識別されたＲＢＳ（“ユーザ機器のアクセスポイント”）にトレースルート機能を開始させて両方向で用いられる経路が識別されるようにするよう命令することもできる。後者の場合、新しいメッセージが、フェムトＲＢＳと、ＲＮＣ或いは他の制御ノード（例えば、ＯＳＳ）との間でｌｕｂインタフェース或いは他の何かのインタフェースで送信される。ＲＮＣがＳＥＧＷに識別されたフェムトＲＢＳに向かうトレースルート機能を実行するように命令している場合、新しいプロトコルとプロトコルメッセージの内、少なくともいずれかが、ＲＮＣとＳＥＧＷとの間のインタフェースで用いられることが必要である。ユーザ機器により用いられる識別されたＩＰネットワークがその後、分析される（ステップ５）。通常、このステップは次の内の１つ以上のものを行うことにより成し遂げられる。即ち、トレースルート機能を起動監視すること、ＩＰネットワークにおける遅延を測��すること、１つ以上のインターネット制御メッセージプロトコル（ＩＣＭＰ）エコー要求と応答、或いは、所謂“ピン（pings）”を送受信すること、ユーザデータグラムプロトコル（ＵＤＰ）ベースのエラー報告メッセージを送受信すること、及び、アクセスポイントのステータスチェックを実行することである。ＵＤＰベースのエラー報告は、ＵＤＰでのテストメッセージが既に定義され、使用されるべきであることを意味し、通常のトラフィックはＵＤＰを用いてトランスポートされ、ＵＤＰベースのエラー報告メッセージは同じ手順を用いて扱われるので、特別な利点があるであろう。
【００２５】
本発明に対する付加的な代替案として、分析するステップはまた、
・識別されたアクセスポイントとＳＥＧＷとの内、少なくともいずれかから統計情報とイベントログ情報（ＩＰアドレス、測定パケット損失率、測定パケット往復時間、測定パケット遅延の変動など）を要求すること、
・ユーザ機器にサービスを行うアクセスポイントに関係する統計情報を分析すること、
・ホーム３Ｇアクセスポイントデータベース（Ｈ３ＧＡＰ  ＤＢ）からユーザ機器に関係する情報、或いは、他のデータベースから、例えば、ＩＰネットワーク情報に関係する情報を取り出すこと、
・セキュリティゲートウェイ或いは機能エンティティに、そのセキュリティゲートウェイとアクセスポイントとの間の１つ以上のＩＰネットワークを分析するように要求すること、
・アクセスポイントのロケーションをユーザ機器のロケーションに関係付け、これによりおそらくは、とりわけユーザ機器を追跡することを可能にすることと
を含んでも良い。
【００２６】
その後、ＲＮＣは、取り出された情報とともに、分析結果を、トレースプリント出力として、創成し、第２のネットワークノードに送信するか、第１のネットワークノードに戻すか、或いは、後での取り出しのためにその情報をローカルに格納する（ステップ６）。その第１のノードは、その要求のトリガをかけるコアノード（ＣＮ）でも良いし、その要求は元々は、例えば、ＯＳＳノードのようなサービスノードから到来したものでも良い。もし、トレース情報の結果がＯＳＳに転送されるように要求されているなら、この転送が実行される。
【００２７】
本発明の実施例において、上述したものの他の実施形はまた、ＧＳＭベースのフェムトＲＢＳという解決策や、例えばＡｂｉｓ／ＩＰのような他のＩＰベースのアクセスネットワークという解決策にも適用可能である。ＧＳＭの場合、ネットワーク制御ノードは基地局制御装置（ＢＳＣ）であり、コアネットワークインタフェースはＡ及びＧｂと呼ばれ、各コアネットワークノードはＭＳＣとＳＧＳＮである。ＢＳＣとＭＳＣとの間で用いられるプロトコルはＢＳＳＭＡＰと呼ばれ、ユーザ機器をトレースするのに用いられるメッセージは“ＭＳＣ  ＩＮＶＯＫＥ  ＴＲＡＣＥ”と呼ばれる。ＢＳＣとＳＧＳＮとの間に用いられるプロトコルはＢＳＳＧＰと呼ばれ、用いられるトレースメッセージは“ＳＧＳＮ−ＩＮＶＯＫＥ−ＴＲＡＣＥ”と呼ばれる。
【００２８】
図２に関連して上述された実施形の更に別の実施例では、本発明は３ＧＰＰ長期進化型（ＬＴＥ）、及びシステムアーキテクチュアの発展型（ＳＡＥ）にも適用可能であり、その場合には、たいてい、発展型ノードＢ（ｅノードＢ）とアクセスゲートウェイ（ＡＧＷ）との間、或いは、ｅノードＢと移動管理機能エンティティ（ＭＭＥ）との間のＩＰネットワークについての情報をトレースしレポートするために用いられる。
【００２９】
図３は、トリガイベントがあるとき、分析と関連する情報の取り出しとを実行する無線ネットワーク制御装置を有する本発明の実施例を図示している。その図によれば、無線ネットワーク制御装置は、無線通信ネットワーク１においてユーザ機器のアクティビティを制御するために用いられる。ネットワーク制御ノード６００は運用者が制御可能な無線アクセスポイント４（図１）と少なくとも１つの運用者が制御不可能な無線アクセスポイント２００と、１つ以上の、運用者が制御可能なインターネットプロトコル（ＩＰ）ネットワーク３００と運用者が制御不可能なインターネットプロトコル（ＩＰ）ネットワーク３００とを介して接続している。ネットワーク接続ノードは、トレーストリガ要求とユーザ機器の識別を、少なくとも第１のネットワークノードから受信するために用いられるトランシーバ６０１を有している。ユーザ機器９００はフェムトセル１００に位置することもできる。機器の識別（ＩＭＳＩと、ＩＭＳＩ、ＩＭＥＩ、ＩＭＥＩＳＶにマップされるＭＳＩＳＤＮなど）は、トレース要求に含められるか、その要求はユーザ機器を明示的に識別するシグナリング接続で別に送信される。ＩＰネットワーク３００は、アクセスポイント２００とＲＮＣ６００との間のトラフィックを扱う１つ以上のルータ４００を含む。セキュリティゲートウェイ（ＳＥＧＷ）５００はＲＮＣ６００とアクセスポイント２００との間で用いられ、ＩＰネットワーク３００にセキュリティを提供する。ＳＥＧＷ５００は通常、ユーザ機器からの加入者識別子モジュール（ＳＩＭ）の情報を用いたユーザ認証、ユーザ機器とＳＥＧＷとの間のＩＰｓｅｃトンネリングと暗号化、コアインフラストラクチュアに対するファイアウォールと分散されたサービス妨害攻撃（ＤＤｏＳ）の保護、コアインフラストラクチュアにおけるサービスの窃盗とＤｏＳ攻撃を防止するためのトラフィックバンド幅制限、及び、コアネットワークへのトラフィックの正しい優先付けを保証するためのサービス品質（ＱｏＳ）を提供する。ＲＮＣはさらに、少なくともＩＰネットワーク３００と識別されたユーザ機器９００にサービスを行うアクセスポイント２００とを識別するために用いられるトレース記録及び情報取り出し機器６０２を有する。ＲＮＣはまた、ユーザ機器９００により用いられる少なくとも１つのＩＰネットワークを分析するために用いられる分析機器６０３を有している。分析機器６０３はまた、フェムトセル１００においてユーザ機器９００にサービスを行うユーザ機器にサービスを行うアクセスポイント２００を分析することもできる。分析結果は最終的に他の取り出された情報と共にトレースのプリント出力に含められ、要求ノード或いは他のいくつかの所定ノードに送信される。
【００３０】
加えて、本発明とその実施例とは多くの方法で実現できる。例えば、本発明の一実施例は無線通信ネットワークにおいてユーザ機器のアクティビティを制御する手順を実行するコンピュータシステムにより実行可能な命令がそこに格納されるコンピュータ可読媒体を含む。他の実施例は、用いられることが可能な、構成アップグレードディスク、分散プログラム、或いは、ダウンロード可能なアップグレードプログラムである。コンピュータシステムにより実行可能な、そして、コンピュータ可読媒体に格納される命令は、請求の範囲で説明される本発明の方法の工程を実行する。
【００３１】
本発明は上述し図面で示した実施例により限定されるものではなく、添付した請求の範囲の中で自由に変形しても良い。例えば、この本文で指摘されている以外に、本発明はシステムの２つのノードの間での情報レポートの原理を利用する種々のシステムで適用されても良い。
【図１】
2010532937.tif 000003
【図２】
2010532937.tif 000004
【図３】
2010532937.tif 000005
【手続補正書】
【提出日】平成22年4月28日(2010.4.28)
【手続補正１】
【補正対象書類名】特許請求の範囲
【補正対象項目名】請求項３
【補正方法】変更
【補正の内容】
【請求項３】
前記トレーストリガ要求は、
トラブルシューティングと、より最適化された障害絞込み手順と、ユーザ機器絞込みとの内の１つ以上の理由により、エンドユーザ、或いは、ネットワークノードによりトリガされることを特徴とする請求項１又は２に記載の方法。
【手続補正２】
【補正対象書類名】特許請求の範囲
【補正対象項目名】請求項８
【補正方法】変更
【補正の内容】
【請求項８】
前記ユーザ機器の識別は、前記トレーストリガ要求に含まれているか、或いは、シグナリング接続における要求として別に送信されることを特徴とする請求項１乃至７のいずれか１項に記載の方法。
【手続補正３】
【補正対象書類名】特許請求の範囲
【補正対象項目名】請求項１１
【補正方法】変更
【補正の内容】
【請求項１１】
前記ユーザ機器の識別は、前記トレーストリガ要求に含まれているか、或いは、シグナリング接続における要求として別に送信されることを特徴とする請求項９又は１０に記載のネットワーク制御ノード（３，６００）。
【手続補正４】
【補正対象書類名】特許請求の範囲
【補正対象項目名】請求項１２
【補正方法】変更
【補正の内容】
【請求項１２】
前記トレース記録及び情報取出の手順は、ユーザ機器にサービスを行うアクセスポイントのＩＰアドレスを識別し、前記ＩＰアドレスを予め格納されたロケーションにマッピングすることが関与することを特徴とする請求項９乃至１１のいずれか１項に記載のネットワーク制御ノード（３，６００）。
【国際調査報告】
2010532937.tif 000006
2010532937.tif 000007
2010532937.tif 000008